(57)【要約】【課題】冊子を折畳まずに封緘でき、封緘・開封の手間がかからず、しかも、低コストで、生活者が開封したくなるような封緘物を提供する。【解決手段】封緘物１０は、２枚の封緘シート１１ａ，１１ｂが重ねられた封緘本体１２と、２枚の封緘シート１１ａ，１１ｂ同士を剥離不可能に接着する接着糊１３と、折畳まれた封緘本体１２の封緘シート１１ａの間に、剥離可能な仮止め用剥離糊１７によって仮止めされた複数のページからなる冊子１４と、２枚の封緘シート１１ａ，１１ｂに設けられた見出しとなるインデックス部１５と、重ねられた２枚の封緘シート１１ａ，１１ｂの間、及び、折畳まれた封緘本体１２の封緘シート１１ａの間を封緘するための剥離可能な剥離糊１６と、封緘本体１２を折畳むために封緘シート１１ａ，１１ｂに設けられたミシン目ｍｃなどとを備える。【選択図】図１
2005053175.tif 000002
【特許請求の範囲】
【請求項１】
複数の封緘シートが重ねられた封緘本体と、
前記複数の封緘シート同士を結合する結合手段と、
折畳まれた又は折畳まれない前記封緘本体の前記複数の封緘シートの間に仮止めされた同封物と、
を備える封緘物。
【請求項２】
請求項１に記載された封緘物において、
前記複数の封緘シートは、少なくとも１枚に、見出しとなるインデックス部を備えること、
を特徴とする封緘物。
【請求項３】
請求項１又は請求項２に記載された封緘物において、
前記インデックス部は、同じ大きさの前記複数の封緘シートをずらすことにより形成されていること、
を特徴とする封緘物。
【請求項４】
請求項１又は請求項２に記載された封緘物において、
前記インデックス部は、異なる大きさの前記複数の封緘シートの中心をそろえることにより形成されていること、
を特徴とする封緘物。
【請求項５】
請求項１から請求項４までのいずれか１項に記載された封緘物において、
前記複数の封緘シートは、折畳まれた又は折畳まれない前記封緘本体の前記複数の封緘シートの間を封緘するための剥離可能な接着手段が設けられていること、
を特徴とする封緘物。
【請求項６】
請求項１から請求項５までのいずれか１項に記載された封緘物において、
前記複数の封緘シートは、前記封緘本体を折畳むための折り予定線が設けられていること、
を特徴とする封緘物。
【発明の詳細な説明】
【技術分野】
【０００１】
本発明は、冊子やカタログ，サンプル，ハガキなどを内部に封緘し、ＤＭ（ダイレクトメール）などに好適に利用できる封緘物に関するものである。
【背景技術】
【０００２】
従来、冊子やカタログ，サンプル，ハガキなどを封筒に同封し、ＤＭとして送付することが行われており、開封の手間を省き開封率を上げるために様々な工夫がなされている。一般的なのは、ミシン目により端部を切りとって、開封する方法である。
【０００３】
また、用紙を内部に封入した封書用フォームなどの技術もある（例えば、特許文献１）。
【０００４】
一方、複数のページからなる冊子において、各ページの幅を階段状に変えて索引部分をつけた形態のものは、インデックス冊子付折りたたみ冊子などとして知られ、実用化されている（例えば、特許文献２）。
【０００５】
また、冊子の小口部分を封緘テープで包んで、簡易に送付する方法も提案されている（例えば、特許文献３）。
【０００６】
しかし、上述した従来の技術では、以下のような問題があった。
（１）定形郵便サイズ封筒を用いたものでは、十分なアイキャッチ効果が得られなかった。
（２）冊子を封筒に同封しただけでは、封筒内部の冊子が固定されていないため、冊子がミシン目付近に移動してしまい、ミシン目による端部の切り取りが行いづらいという問題があった。
（３）特許文献１の封筒用フォームでは、複数のページからなる冊子を同封することはできなかった。
【０００７】
（４）特許文献２のインデックス付折りたたみ冊子では、この冊子を送付する場合、そのままの状態では、各ページが開いてしまうので、封筒に入れて送付したり、ラッピングを行って送付しなくてはならないが、封筒では、冊子自体を小形にするか、折畳まなくてはならないので、小形の冊子は迫力がなく、折りしわのついた冊子は見づらいといった問題があり、ラッピングでは、環境の面から必ずしも最適な方法とはいえないうえ、また、販促情報をのせるときに、フィルムでは、デザイン上の制約やコストがかかるなどの問題があった。
【０００８】
（５）特許文献３の冊子用封緘テープでは、各ページの幅が階段状になった冊子を封緘する場合には、小口部分の強度に注意を払いながら封緘する必要があり、封緘する手間も大きかった。
【０００９】
【特許文献１】実開昭６１−２０６４８４号公報
【特許文献２】特開２００２−１３７５７７号公報
【特許文献３】特開２０００−２３９６２５号公報
【発明の開示】
【発明が解決しようとする課題】
【００１０】
本発明の課題は、冊子を折畳まずに封緘でき、封緘・開封の手間がかからず、しかも、低コストで、生活者が開封したくなるような封緘物を提供することである。
【課題を解決するための手段】
【００１１】
本発明は、以下のような解決手段により、前記課題を解決する。なお、理解を容易にするために、本発明の実施例に対応する符号を付して説明するが、これに限定されるものではない。
請求項１の発明は、複数の封緘シート（１１ａ，１１ｂ）が重ねられた封緘本体（１２）と、前記複数の封緘シート（１１ａ，１１ｂ）同士を結合する結合手段（１３）と、折畳まれた又は折畳まれない前記封緘本体（１２）の前記複数の封緘シート（１１ａ，１１ｂ）の間に仮止めされた同封物（１４）と、を備える封緘物である。
【００１２】
請求項２の発明は、請求項１に記載された封緘物において、前記複数の封緘シート（１１ａ，１１ｂ）は、少なくとも１枚に、見出しとなるインデックス部（１５）を備えること、を特徴とする封緘物である。
【００１３】
請求項３の発明は、請求項１又は請求項２に記載された封緘物において、前記インデックス部（１５）は、同じ大きさの前記複数の封緘シート（１１ａ，１１ｂ）をずらすことにより形成されていること、を特徴とする封緘物である。
【００１４】
請求項４の発明は、請求項１又は請求項２に記載された封緘物において、前記インデックス部（１５）は、異なる大きさの前記複数の封緘シート（１１ｃ，１１ｄ，１１ｅ）の中心をそろえることにより形成されていること、を特徴とする封緘物である。
【００１５】
請求項５の発明は、請求項１から請求項４までのいずれか１項に記載された封緘物において、前記複数の封緘シート（１１ａ，１１ｂ）は、折畳まれた又は折畳まれない前記封緘本体（１２）の前記複数の封緘シート（１１ａ，１１ｂ）の間を封緘するための剥離可能な接着手段（１６）が設けられていること、を特徴とする封緘物である。
【００１６】
請求項６の発明は、請求項１から請求項５までのいずれか１項に記載された封緘物において、前記複数の封緘シート（１１ａ，１１ｂ）は、前記封緘本体（１２）を折畳むための折り予定線（ｍｃ）が設けられていること、を特徴とする封緘物である。
【発明の効果】
【００１７】
本発明によれば、以下のような効果がある。
（１）複数の封緘シートを重ねて封緘本体を形成し、内部に同封物を仮止めしたので、封緘時における同封物の移動を防止でき、また、同封物を確認する前に、多くの情報を確認できるので、訴求効果を高めることができる。
【００１８】
（２）少なくとも１枚の封緘シートが、見出しとなるインデックス部を備えているので、効率の良い各情報への誘導が可能になり、訴求効果をより高めることができる。
【００１９】
（３）同じ大きさの複数の封緘シートをずらすことによりインデックス部を形成したので、同じ大きさの封緘シートを複数用意すればよく、製造上の前準備が容易となる。
【００２０】
（４）異なる大きさの複数の封緘シートの中心をそろえることによりインデックス部を形成したので、各封緘シートの中心がそろい、製造ライン上であつかいやすい。
【００２１】
（５）各封緘シートの間を剥離可能な接着手段により封緘したので、送付時には、不用意な開封を防止でき、開封時には、生活者が開封しやすくなる。
【００２２】
（６）封緘本体を折畳むための折り予定線を封緘シートに設けたので、封緘本体が折畳みやすくなる。
【発明を実施するための最良の形態】
【００２３】
本発明は、生活者が開封したくなるような機能及び形状をもたせた封緘物を提供するという目的を、複数の封緘シートを重ね、各封緘シート同士を結合し、折畳まれた封緘本体の封緘シートの間に同封物を仮止めし、見出しとなるインデックス部を備えることにより実現した。
【実施例１】
【００２４】
以下、図面等を参照して、本発明の実施例について、さらに詳しく説明する。
図１は、本発明による封緘物の実施例１を模式的に示す図である。
実施例１による封緘物１０は、２枚の封緘シート１１ａ，１１ｂが重ねられた封緘本体１２と、２枚の封緘シート１１ａ，１１ｂ同士を剥離不可能に接着する接着糊（結合手段）１３と、折畳まれた封緘本体１２の封緘シート１１ａの間に、剥離可能な仮止め用剥離糊１７によって仮止めされた複数のページからなる冊子（同封物）１４と、２枚の封緘シート１１ａ，１１ｂに設けられた見出しとなるインデックス部１５と、重ねられた２枚の封緘シート１１ａ，１１ｂの間、及び、折畳まれた封緘本体１２の封緘シート１１ａの間を封緘するための剥離可能な剥離糊（接着手段）１６と、封緘本体１２を折畳むために封緘シート１１ａ，１１ｂに設けられたミシン目ｍｃ（折り予定線）などとを備える。
【００２５】
次に、実施例１による封緘物１０の製造方法を説明する。
まず、図１（Ａ）に示すように、販促情報などの必要事項が印刷された同じ大きさの２枚の封緘シート１１ａ，１１ｂを用意し、２枚の封緘シート１１ａ，１１ｂを左右にずらすことによりインデックス部１５を形成し、封緘本体１２の背となる部分付近に接着糊１３を塗布し、２枚の封緘シート１１ａ，１１ｂが重なる領域の左右の端部に剥離糊１６を塗布し、２枚の封緘シート１１ａ，１１ｂを貼り合わせる。そして、接着糊１３上にミシン目ｍｃを切り込む。なお、封緘シート１１ａ，１１ｂは、配送中に折曲がらない程度の剛性を有し、加工適性を満足する、１００〜１６０グラム／ｍ2の用紙を用い、接着糊１３に塗布する接着糊としては、容易に剥離しないエマルジョン系の強接着性のものを用いた。また、封緘シート１１ａ，１１ｂは、ＰＰ（ポリプロピレン）加工したものであってもよい。
【００２６】
ついで、図１（Ｂ）に示すように、封緘シート１１ａ上の冊子１４を仮止めする位置に、仮止め用剥離糊１７を塗布する。なお、仮止め用剥離糊１７に塗布する剥離糊としては、生活者が容易に剥離可能なゴム系の弱接着性のものを用いた。
【００２７】
さらに、図１（Ｃ）に示すように、ミシン目ｍｃで折り返されるミシン目ｍｃより左側の紙片の周縁部の３辺と接着するように、剥離糊１６を封緘シート１１ａ上にコの字型に塗布し、仮止め用剥離糊１７の上に冊子１４を乗せて、仮止めする。
【００２８】
そして、図１（Ｄ）に示すように、ミシン目ｍｃより左側の紙片を折り返し、剥離糊１６と接着させることで冊子１４を内部に封緘し、図１（Ｅ）に示すように、封緘物１０が完成する。
【００２９】
このようにして、封緘物１０が完成したら、この封緘物１０は、宅配便などの配送手段によって、生活者に届けられる。なお、指定されたエリアの生活者宅への投げ込みをするポスティング、店頭や駅の広告棚などへの配置を行ってもよい。
【００３０】
このように、実施例１によれば、同じ大きさの封緘シート１１ａ，１１ｂを左右にずらしてインデックス部１５を形成し、折畳まれた封緘本体１２の内部に冊子１４を仮止めしたので、冊子１４を単体で送付することが可能になるだけでなく、封緘物１０の内部と外部とを関連づけた情報を提供することができ、インデックス部１５による興味をひくページへの誘導と合わせ、高い開封効果と、高い訴求効果とを与えることができる。
【００３１】
また、封緘シート１１ａ，１１ｂの間を剥離可能な接着手段により封緘したので、送付時には、不用意な開封を防止でき、開封時には、生活者が開封しやすくなる。
【００３２】
さらに、封緘本体１２を折畳むためのミシン目ｍｃを封緘シート１１ａ，１１ｂに設けたので、封緘本体１２が、折畳みやすくなる。
【実施例２】
【００３３】
図２は、本発明による封緘物の実施例２を模式的に示す図である。
なお、前述した実施例１と同様な機能を果たす部分には、同一の符号又は末尾に統一した符号を付して、重複する説明や図面を適宜省略する。
実施例２の封緘物１０Ａにおける、実施例１の封緘物１０と異なる点は、封緘本体１２Ａが異なる大きさの３枚の封緘シート１１ｃ，１１ｄ，１１ｅで構成され、各封緘シートの中心をそろえることによりインデックス部１５が形成されている点と、冊子１４をインデックス部１５が設けられている面とは反対側の面に仮止めし、封緘本体１２Ａを折畳んだ点である。
【００３４】
このように、実施例２によれば、各封緘シートの中心をそろえて封緘本体１２Ａを形成したので、製造ライン上で封緘シートの中心がそろい、接着糊１３が塗布しやすくなる。
【００３５】
また、インデックス部１５とは反対側の面に冊子１４を仮止めしたので、実施例１と比べて、より大きな冊子や多くの冊子を同封することができる。
【００３６】
（変形例）
以上説明した実施例に限定されることなく、種々の変形や変更が可能であって、それらも本発明の均等の範囲内である。
（１）  上述した各実施例では、封緘本体１２，１２Ａは、折畳まれる例で説明したが、各封緘シートの間に冊子１４をはさんで封緘し、封緘本体１２，１２Ａを折畳まなくてもよい。このようにすれば、折り畳む工程がなくなるので、製造工程が容易となる。
【００３７】
（２）  上述した各実施例では、封緘本体１２，１２Ａの間に冊子１４をはさむ例で説明したが、各封緘シートの間に冊子１４をはさんでもよい。
【００３８】
（３）  上述した各実施例では、冊子１４のみを同封する例で説明したが、例えば、ＣＤ−ＲＯＭ，ＤＶＤ，ＦＤなどの記録媒体や申込用紙，販促情報チラシ，サンプル，ハガキ，おまけ，クーポン券，くじなどを同封物として内部に同封してもよく、それぞれを組み合わせて同封してもよい。このようにすれば、おまけ要素が盛込まれるので、訴求効果を高めることができる。
【００３９】
（４）  上述した各実施例で、剥離糊１６は、各封緘シートの上端から下端、及び、コの字型（逆コの字型）で塗布する例を挙げたが、必要に応じて塗布する領域を変化させてもよい。封緘性を高めたいのであれば、周縁部すべてに塗布すればよく、また、同封物や内部の情報をよりアピールしたい場合は、剥離糊１６を塗布しなくてもよい。
【００４０】
（５）  上述した各実施例において、各封緘シートに窓部を設けて、中身を視認できるようにしてもよい。このようにすれば、訴求効果が高まる。
【００４１】
（６）  上述した各実施例では、インデックス部１５がある例で説明したが、なくてもよい。
【００４２】
（７）  上述した実施例１で、封緘シートは、２枚の例で説明したが、必要に応じて３枚以上にしてもよい。また、実施例２では、封緘シートは、３枚の例で説明したが、２枚でもよく、４枚以上でもよい。
【００４３】
（８）  上述した各実施例で、折り予定線は、ミシン目としたが、マイクロミシン目やハーフカットなどの他のカット線でもよく、また、筋押し線でもよい。
【図面の簡単な説明】
【００４４】
【図１】本発明による封緘物の実施例１を模式的に示す図である。
【図２】本発明による封緘物の実施例２を模式的に示す図である。
【符号の説明】
【００４５】
１０  封緘物
１１ａ〜１１ｅ  封緘シート
１２  封緘本体
１３  接着糊
１４  冊子
１５  インデックス部
１６  剥離糊
１７  仮止め用剥離糊
ｍｃ  ミシン目
【図１】
2005053175.tif 000003
【図２】
2005053175.tif 000004